(57)【要約】【課題】紙幣の後端側に折れが生じている場合でもジャムを引き起こしたり、前記折れを固定化させるようなことのない紙幣収納／繰出し装置を提供する。【解決手段】テープのみを巻き取る第１の巻き取りリールと、前記テープの間に紙幣を挟んだ状態でテープと紙幣とを一緒に巻き取る第２の巻き取りリールとを有し、前記リール間でテープの巻き取り巻き戻しを行わせることにより、紙幣の収納または繰出しを行う紙幣収納／繰出し装置において、前記第２の巻き取りリール軸の軸心方向に常時押圧付勢され、紙幣収納時に紙幣の略両端をガイドすべく回動支点を有した札押さえを有するとともに、前記テープを巻き戻しての紙幣繰出し時に、前記札押さえを、前記押圧付勢に抗して前記第２の巻き取りリール軸の軸心方向から離間させる離間手段を具備することにより達成する。【選択図】図１
2005001874.tif 000002
【特許請求の範囲】
【請求項１】
テープのみを巻き取る第１の巻き取りリールと、前記テープの間に紙幣を挟んだ状態でテープと紙幣とを一緒に巻き取る第２の巻き取りリールとを有し、前記リール間でテープの巻き取り巻き戻しを行わせることにより、紙幣の収納または繰出しを行う紙幣収納／繰出し装置において、
前記第２の巻き取りリール軸の軸心方向に常時押圧付勢され、紙幣収納時に紙幣の略両端をガイドすべく回動支点を有した札押さえを有するとともに、
前記テープを巻き戻しての紙幣繰出し時に、前記札押さえを、前記押圧付勢に抗して前記第２の巻き取りリール軸の軸心方向から離間させる離間手段を具備したことを特徴とする紙幣収納／繰出し装置。
【請求項２】
前記離間手段は、前記第２の巻き取りリール軸を回転駆動させる駆動源と、前記第２の巻き取りリール軸にトルクリミッタを介在させたカム板と、該カム板の回動範囲を規制するストッパとから構成される請求項１に記載の紙幣収納／繰出し装置。
【発明の詳細な説明】
【０００１】
【発明の属する技術分野】
本発明は紙幣収納／繰出し装置に関するもので、特に紙幣を短手方向に送ってその中央付近を２枚のテープ間に挟み込んで収納し、必要に応じて巻き戻して逆の順序で繰出しを行う方式の紙幣収納／繰出し装置に関する。
【０００２】
【従来の技術】
紙幣を短手方向に送ってその中央付近を２枚のテープ間に挟み込んで収納し必要に応じて巻き戻して逆の順序で繰出しを行う紙幣収納／繰出し装置として、例えば、特開２０００−１２３２１９号公報に示される装置が知られている。
【０００３】
前記公報には紙幣の長手寸法全域をガイドし、巻き取り用リールの径の変化（紙幣が巻き取られて行くに従い外径は太くなり、巻き戻されると細くなっていくことを意味する。）に追従するように、常時リール表面を押圧付勢する紙幣ガイドを採用した態様の紙幣収納／繰出し装置が開示されている。
【０００４】
この態様の方式においては、対象紙幣に、図５に示すような折れが生じていなければ、収納時及び繰出し時共に良好にガイドすることは可能である。
【０００５】
しかしながら、図５のように、対象紙幣の後方端（繰出し時は前方端になる）に折れが生じているような場合、繰出し時においては、この折れ部が前記紙幣ガイドに当接して繰出しジャムを引き起こしたり、軽微な折れ（鈍角）だったものが前記紙幣ガイドによって完全な折れ（鋭角）に固定化させてしまうおそれがあるという問題があった。また、紙幣繰出し時においては紙幣を押さえる必要がないにもかかわらず、常時紙幣を押圧しているため、繰出し時に余計な力がかかるという問題もあった。
【０００６】
【特許文献１】
特開２０００−１２３２１９号公報
【０００７】
【特許文献２】
特開平８−６７３８２号公報
【０００８】
【発明が解決しようとする課題】
本発明は、上述のような問題点に鑑み為されたものであり、本発明は、収納時には紙幣をガイドするように押圧し、繰出し時には退避させる構造の札押さえとすることにより、紙幣の後端側に折れが生じている場合でもジャムを引き起こしたり、前記折れを固定化させるようなことのない紙幣収納／繰出し装置を提供することを目的とする。
【０００９】
【課題を解決するための手段】
本発明は、紙幣収納／繰出し装置に関し、本発明の上記目的は、テープのみを巻き取る第１の巻き取りリールと、前記テープの間に紙幣を挟んだ状態でテープと紙幣とを一緒に巻き取る第２の巻き取りリールとを有し、前記リール間でテープの巻き取り巻き戻しを行わせることにより、紙幣の収納または繰出しを行う紙幣収納／繰出し装置において、前記第２の巻き取りリール軸の軸心方向に常時押圧付勢され、紙幣収納時に紙幣の略両端をガイドすべく回動支点を有した札押さえを有するとともに、前記テープを巻き戻しての紙幣繰出し時に、前記札押さえを、前記押圧付勢に抗して前記第２の巻き取りリール軸の軸心方向から離間させる離間手段を具備したことを特徴とする紙幣収納／繰出し装置によって達成される。
【００１０】
【発明の実施の形態】
本発明に係る紙幣収納／繰出し装置について、図面を参照して詳細に説明する。
【００１１】
図１は、本発明に係る紙幣収納／繰出し装置の斜視図であり、図２は図１における矢印Ｘ方向から見た正面図であり、図３及び図４はそれぞれ収納時及び繰出し時の側面図であり、図５は紙幣の収納時における進行方向から見て後端部に折れが生じている様子を示す模式図である（繰出し時は前記折れ部が前側となる。）。
【００１２】
次に、図１を参照して実施の形態を説明する。
【００１３】
図１において、１ａ、１ｂは紙幣を挟むテープ２のみを巻き取る第１の巻き取りリールであり、３は短手方向に受け入れられ前記テープ２の間に挟まれた紙幣をテープごと巻き取る第２の巻き取りリールであり、４は前記第２の巻き取りリールの巻き取り軸である。５は図示しない付勢手段によって常時巻き取り軸４の軸心方向に向けて押圧付勢される２体の札押さえであり、６はその札押さえ５の回動支点である。８は巻き取り軸４の同軸上に配置されトルクリミッタ７を介在して巻き取り軸４と摩擦連結されたカム板である。該カム板８上には円弧状の溝９が孔設されていて、ストッパ１０とで回動範囲が規制されるようになっている。なお、前記トルクリミッタ７は特開平８−６７３８２号公報に記載のものが利用可能である。図１では紙幣繰出し時の状態が示されていて、カム板８が札押さえ５を押し上げている状態となっている。
【００１４】
図３は、紙幣収納時における状態を示す側面図であり、説明上必要な箇所以外は省略した模式図である。紙幣収納時において、巻き取り軸４が時計回りに回転するとカム板８も連動して時計回りに回転するが、溝９がストッパ１０に当たるため、カム板８は図の位置で停止する。しかし、トルクリミッタ７の働きにより、カム板８がストッパ１０の位置で停止されても、巻き取り軸４は回り続け、第２の巻き取りリール３によりテープ２の間に挟まれた紙幣を巻き取り収納する。同時に、第１の巻き取りリール１ａ及び１ｂも時計回りに回転してテープ２を繰り出す。このとき、札押さえ５は図示しない付勢手段によって巻き取り軸４の軸心方向に向けて押圧付勢される。これによって紙幣は第２の巻き取りリール３に密着した形で巻き取られる。
【００１５】
次に、紙幣繰出し時の動作について、図４を参照して説明する。紙幣繰出し時においては、巻き取り軸４が反時計回りに回転すると、カム板８も連動して反時計回りに回転し、札押さえ５を巻き取り軸４から離間させるように押し戻すが、溝９がストッパ１０に当たるため、カム板８は図の位置で停止し、札押さえ５を離間させた状態で保持する。しかし、トルクリミッタ７の働きにより、カム板８がストッパ１０の位置で停止されても、巻き取り軸４は回り続け、第２の巻き取りリール３からテープ２の間に挟まれた紙幣がテープと一緒に巻き戻されて出てくる。同時に、第１の巻き取りリール１ａ及び１ｂも反時計回りに回転して、第２の巻き取りリールから繰り出されたテープ２を巻き取る。このとき、札押さえ５はカム板８によって第２の巻き取りリール３から離間させられているので、図５のように繰出し方向の前方端に折れが生じていても、それによって紙幣の繰出しジャムを引き起こしたり、折れをさらに助長するおそれがなくなる。
【００１６】
【発明の効果】
請求項１の発明によれば、収納紙幣の後端側に折れが生じている場合でも、繰出し時に札押さえが紙幣の折れ部から退避するので、折れ部が札押さえに当接することがないので、この折れに起因する繰出しジャム、若しくは折れの固定化が発生しない。また、繰出し時に札押さえが巻き取りリール表面を押さえていないので、繰出し時にテープに余分な力がかからない。
【００１７】
請求項２の発明によれば、巻き取り軸を回転駆動させる駆動源を利用して札押さえを離間させる構成としたので、離間させるための専用の駆動源が不要となるだけでなく同期させるための手段も不要となる。
【図面の簡単な説明】
【図１】本発明に係る紙幣収納／繰出し装置の斜視図である。
【図２】本発明に係る紙幣収納／繰出し装置の正面図である。
【図３】本発明に係る紙幣収納／繰出し装置の紙幣収納時の側面図（模式図）である。
【図４】本発明に係る紙幣収納／繰出し装置の紙幣繰出し時の側面図（模式図）である。
【図５】紙幣の収納時における進行方向から見て後端部に折れが生じている様子を示す模式図である。
【符号の説明】
１ａ、１ｂ  第１の巻き取りリール
２  テープ
３  第２の巻き取りリール
４  巻き取り軸
５  札押さえ
６  回動支点
７  トルクリミッタ
８  カム板
９  溝
１０  ストッパ
【図１】
2005001874.tif 000003
【図２】
2005001874.tif 000004
【図３】
2005001874.tif 000005
【図４】
2005001874.tif 000006
【図５】
2005001874.tif 000007